(57)【要約】      （修正有）【課題】電子レンジ、金属探知機、及び検針機に対応できる箱、スリーブ等の紙器や、タグを提供する。【解決手段】加工紙１０で形成され商品を保護する紙器及びタグであって、加工紙１０は、基材である板紙１１の片側に錫蒸着層１３を形成したものである。この錫蒸着層１３は、ＰＥＴフィルム１４に形成され、ＰＥＴフィルム１４にはアンカーコート剤層１５が形成されている。錫蒸着層１３は、電子レンジ、検針器、又は金属探知機を使用するときに生じる電磁波、電場、又は磁場を透過する。【選択図】図１
0003212990.tif 000002
【実用新案登録請求の範囲】
【請求項１】
加工紙で形成され商品を保護する紙器であって、
前記加工紙は、板紙製の基材と、前記基材の表面に配置され、電磁波、電場、又は磁場が透過可能に形成された錫又は錫合金の蒸着層と、を含むことを特徴とする紙器。
【請求項２】
前記錫又は錫合金の蒸着層が電子レンジ、検針器、又は金属探知機を使用するときに生じる電磁波、電場、又は磁場を透過することを特徴とする請求項１に記載の紙器。
【請求項３】
前記紙器が前記商品を囲う閉構造を備えることを特徴とする請求項１に記載の紙器。
【請求項４】
前記紙器が前記商品の一部を覆う、前記商品に付着する、又は前記商品に近接して配置される開構造を備えることを特徴とする請求項１に記載の紙器。
【請求項５】
加工紙で形成され商品に取付けられるタグであって、
前記加工紙は、板紙製の基材と、前記基材の表面に配置され、電磁波、電場、又は磁場が透過可能に形成された錫又は錫合金の蒸着層と、を含むことを特徴とするタグ。
【請求項６】
前記錫又は錫合金の蒸着層が電子レンジ、検針器、又は金属探知機を使用するときに生じる電磁波、電場、又は磁場を透過することを特徴とする請求項５に記載のタグ。
【考案の詳細な説明】
【技術分野】
【０００１】
本考案は、電子レンジ、金属探知機、及び検針機に対応する板紙製の紙器及びタグに関する。
【背景技術】
【０００２】
従来、遮光性、気密性を向上させるため、基材であるプラスチックフィルムの表面にアルミニウムを蒸着した材料が知られている。このようにアルミニウムを蒸着した材料の表面は金属光沢を有することから、外観品質を向上させることができる。
【０００３】
しかし、このようにアルミニウムを蒸着した素材は、電磁波を遮断することから、電子レンジや金属探知機、検針機を使用することができない。
【０００４】
これに対応して、金属光沢を備えるが電子レンジ等の使用ができる素材として、基材フィルムに錫又は錫合金や錫又は錫合金合金を蒸着したものが知られている。基材に錫又は錫合金等を島状とした蒸着層を形成すると、基材表面に金属光沢を備えつつ、蒸着層が絶縁性を備えるので、電磁波が通過して電子レンジ及び金属検知機の使用が可能になり、食品のソフトパッケージやアパレル用包装材料に使用できる。
【０００５】
特許文献１には、基材フィルム、錫（Ｓｎ）からなる絶縁蒸着層を含む遮光性積層包装材料が記載されている。
【０００６】
また、特許文献２には、少なくともプラスチックフィルムと金属蒸着層とを有してなる包装用蒸着フィルムにおいて、金属蒸着層を鳥状構造としてマイクロ波透過性、絶縁性、及び金属光沢性をもたせた包装用蒸着フィルムであって、金属蒸着層の金属がＳｎ、Ｓｎ−Ａｌ合金、又はＳｎ−Ｓｉ合金であるものが記載されている。
【先行技術文献】
【特許文献】
【０００７】
【特許文献１】特開２００３ー３４０９６５号公報
【特許文献２】特開昭６３ー１５７８５８号公報
【考案の概要】
【考案が解決しようとする課題】
【０００８】
しかし、上述した従来の技術は、プラスチックフィルムを基材とする軟包装に使用されるものであり、商品を包装し自ら形状を維持する容器、箱、スリーブ、パッケージ等の紙器や、商品に取り付けられるタグ等はなかった。
【０００９】
本考案は上述した課題に鑑みてなされたものであり、電子レンジ、金属探知機、及び検針機に対応できると共に金属色や金属光沢を呈した外装を備え、所望の構造や安定した形状を保つことができる紙器及びタグを提供することを目的とする。
【課題を解決するための手段】
【００１０】
前記課題を解決する請求項１に記載の考案は、加工紙で形成され商品を保護する紙器であって、前記加工紙は、板紙製の基材と、前記基材の表面に配置され、電磁波、電場、又は磁場が透過可能に形成された錫又は錫合金の蒸着層と、を含むことを特徴とする紙器である。
【００１１】
本考案によれば、紙器は、板紙製の基材と、前記基材の表面に配置され、電磁波、電場、又は磁場が透過可能に形成された錫又は錫合金又は錫又は錫合金合金の蒸着層とを含む加工紙で構成されている。このため、紙器で商品をを包装した状態で、紙器を通して商品に電磁波、電場、磁場を作用させることができ、電子レンジ、検針機、金属探知機を使用して商品の加熱や商品の検針、金属検査を行うことができると共に、金属色や金属光沢を呈した外装を備え、所望の構造や安定した形状を保つことができる。
【００１２】
同じく請求項２に記載の考案は、前記錫又は錫合金の蒸着層が電子レンジ、検針器、又は金属探知機を使用するときに生じる電磁波、電場、又は磁場を透過することを特徴とする。
【００１３】
本考案によれば、紙器を形成する加工紙における錫又は錫合金又は錫又は錫合金の蒸着層は電子レンジ、検針器、又は金属探知機を使用するときに生じる電磁波、電場、又は磁場を透過する。このため、紙器内に商品を収納した状態で、収納した商品に電磁波、電場、磁場を作用させることができ、電子レンジ、検針機、金属探知機を使用して商品の加熱や商品の検針、金属検査を行うことができる。
【００１４】
同じく請求項３に記載の考案は、前記紙器が商品の全周を囲う閉構造を備えることを特徴とする。
【００１５】
本考案によれば、紙器は、商品の全周を覆う閉構造である。よって、商品の外周が紙器で覆われた状態で、電子レンジ、検針機、金属探知機を使用して商品の加熱や商品の検針、金属検査を行うことができる。
【００１６】
同じく請求項４に記載の考案は、前記紙器が前記商品の一部を覆う、前記商品に付着する、又は前記商品に近接して配置される開構造を備えることを特徴とする。
【００１７】
本考案によれば、紙器は商品の一部を覆う、前記商品に付着する、又は前記商品に近接して配置される開構造を備える。よって、商品の一部が紙器に覆われた状態、商品に紙器が付着した状態、又は商品に紙器が近接した状態で、電子レンジ、検針機、金属探知機を使用して商品の加熱や商品の検針、金属検査を行うことができる。
【００１８】
同じく請求項５に記載の考案は、加工紙で形成され商品に取付けられるタグであって、前記加工紙は、板紙製の基材と、前記基材の表面に配置され、電磁波、電場、又は磁場が透過可能に形成された錫又は錫合金の蒸着層と、を含むことを特徴とするタグである。
【００１９】
本考案によれば、タグは、板紙製の基材と、前記基材の表面に配置され、電磁波、電場、又は磁場が透過可能に形成された錫又は錫合金又は錫又は錫合金合金の蒸着層とを含む加工紙で構成されている。このため、タグを商品に取付けた状態で、タグに電磁波、電場、磁場を作用させることができ、電子レンジ、検針機、金属探知機を使用して商品の加熱や商品の検針、金属検査を行うことができると共に、金属色や金属光沢を呈した外装を備え、所望の構造や安定した形状を保つことができる。
【００２０】
同じく請求項６に記載の考案は、前記タグが前記錫又は錫合金の蒸着層が電子レンジ、検針器、又は金属探知機を使用するときに生じる電磁波、電場、又は磁場を透過することを特徴とする。
【００２１】
本考案によれば、タグを形成する加工紙における錫又は錫合金又は錫又は錫合金の蒸着層は電子レンジ、検針器、又は金属探知機を使用するときに生じる電磁波、電場、又は磁場を透過する。このため、商品にタグを取付けた状態で、商品に電磁波、電場、磁場を作用させることができ、電子レンジ、検針機、金属探知機を使用して商品の加熱や商品の検針、金属検査を行うことができる。
【考案の効果】
【００２２】
本考案によれば、電子レンジ、金属探知機、及び検針機に対応できると共に金属色や金属光沢を呈した外装を備え、所望の構造や安定した形状を保つことができる箱、スリーブ等の紙器や、タグを提供することができる。
【００２３】
即ち、請求項１に記載の紙器によれば、紙器は、板紙製の基材と、前記基材の表面に配置され、電磁波、電場、又は磁場が透過可能に形成された錫又は錫合金の蒸着層とを含む加工紙で構成されている。このため、紙器内に商品を収納した状態で、収納した商品に電磁波、電場、磁場を作用させることができ、電子レンジ、検針機、金属探知機を使用して商品の加熱や商品の検針、金属検査を行うことができると共に金属色や金属光沢を呈した外装を備え、所望の構造や安定した形状を保つことができる箱、スリーブ等の紙器を提供することができる。
【００２４】
同じく請求項２に記載の紙器によれば、紙器における錫又は錫合金蒸着層は電子レンジ、ＲＦＩＤ、検針器、又は金属探知機を使用するときに生じる電磁波、電場、又は磁場を透過する。このため、紙器内に商品を収納した状態で、収納した商品に電磁波、電場、磁場を作用させることができ、電子レンジ、検針機、金属探知機を使用して商品の加熱や商品の検針、金属検査を行うことができる。
【００２５】
同じく請求項３に記載の紙器によれば、紙器は、商品の全周を覆う閉構造である。このため、商品の全周が紙器で覆われた状態で、電子レンジ、検針機、金属探知機を使用して商品の加熱や商品の検針、金属検査を行うことができる。
【００２６】
同じく請求項４に記載の紙器によれば、紙器は商品の一部を覆う、前記商品に付着する、又は前記商品に近接して配置される開構造を備える。商品の一部が紙器に覆われた状態、対象部に紙器が付着した状態、又は紙器が商品に近接した状態で、電子レンジ、検針機、金属探知機を使用して商品の加熱や商品の検針、金属検査を行うことができる。
【００２７】
同じく請求項５に記載のタグによれば、タグは、板紙製の基材と、前記基材の表面に配置され、電磁波、電場、又は磁場が透過可能に形成された錫又は錫合金又は錫又は錫合金合金の蒸着層とを含む加工紙で構成されている。このため、タグを商品に取付けた状態で、タグに電磁波、電場、磁場を作用させることができ、電子レンジ、検針機、金属探知機を使用して商品の加熱や商品の検針、金属検査を行うことができる共に、金属色や金属光沢を呈した外装を備え、所望の構造や安定した形状を保つことができる。
【００２８】
同じく請求項６に記載のタグによれば、タグを形成する加工紙における錫又は錫合金又は錫又は錫合金の蒸着層は電子レンジ、検針器、又は金属探知機を使用するときに生じる電磁波、電場、又は磁場を透過する。このため、商品にタグを取付けた状態で、商品に電磁波、電場、磁場を作用させることができ、電子レンジ、検針機、金属探知機を使用して商品の加熱や商品の検針、金属検査を行うことができる。
【図面の簡単な説明】
【００２９】
【図１】本考案の実施形態に係る紙器を作成するための加工紙を示す断面図である。
【図２】同紙器の実施形態を示すものであり、（ａ）は弁当箱を示す展開図、（ｂ）は他の弁当箱を示す展開図である。
【図３】同紙器の実施形態を示すものであり、（ａ）は弁当箱のスリーブを示す展開図、（ｂ）はカップスリーブを示す展開図である。
【図４】同紙器の実施形態を示すものであり、（ａ）はマスクケース示す展開図、（ｂ）は菓子の台紙を示す図である。
【図５】同紙器の実施形態を示すものであり、（ａ）は焼ケーキトレイを示す展開図、（ｂ）は小分け皿を示す展開図である。
【図６】同紙器の実施形態である仕切り板を示す図である。
【図７】同紙器の実施形態を示すものであり、（ａ）はケーキの台紙を示す展開図、（ｂ）はデザートトレイを示す示す展開図である。
【図８】同紙器の実施形態を示すものであり、（ａ）はトイケースを示す展開図、（ｂ）はコットンのパッケージを示す示す展開図である。
【図９】同紙器の実施形態を示すものであり、（ａ）は化粧品のパッケージを示す展開図、（ｂ）はバッグのパッケージ（貼り箱）を示す示す展開図である。
【図１０】本考案に係る紙器の電子レンジによる加熱試験を示すものであり、（ａ）は実施形態に係る紙器による試験を示す写真、（ｂ）は比較例に係る紙器による試験を示す写真である。
【図１１】本考案に係る紙器の金属探知機による試験を示すものであり、（ａ）は実施形態に係る紙器による試験を示す写真、（ｂ）は比較例に係る紙器による試験を示す写真である。
【考案を実施するための形態】
【００３０】
本考案を実施するための形態に係る紙器について説明する。
【００３１】
本考案に係る紙器及びタグは、加工紙で形成される。そして、前記加工紙は、板紙製の基材と、前記基材の表面に配置され、電磁波、電場、又は磁場が透過可能に形成された錫又は錫合金の蒸着層と、を含むことを特徴とする。紙器としては板紙で製造されるパッケージ、トレイ、台紙等が対象となる。
【００３２】
また、本考案の本実施形態に係る紙器は、加工紙の錫又は錫合金の蒸着層が電子レンジ、検針器、又は金属探知機を使用するときに生じる電磁波、電場、又は磁場を透過するものである。
【００３３】
まず、本考案に係る紙器を作成するために使用する加工紙について説明する。図１は本考案の実施形態に係る紙器を作成するための加工紙を示す断面図である。
【００３４】
加工紙１０は、基材である板紙１１の片側（図中上側）に錫蒸着層１３を形成したものである。この錫蒸着層１３は、ＰＥＴ（polyethylene terephthalate）フィルム１４に形成され、ＰＥＴフィルム１４にはアンカーコート剤層１５が形成されている。なお、ＰＥＴフィルム１４にアンカーコート剤層を形成しないことができる。また、板紙１１に錫蒸着層１３、ＰＥＴフィルム１４を配置した後、ＰＥＴフィルム１４を剥がし、板紙１１に錫蒸着層１３だけを形成することができる。即ち、板紙に錫蒸着層を形成するとき、錫蒸着層を形成したＰＥＴフィルムを接合することができる他、板紙に錫蒸着層だけを形成することができる。
【００３５】
板紙１１は紙器用板紙であり、例えば白板紙を使用する。板紙として耐油性や耐水性を備えるものを使用することができる。板紙は例えば重さにして１００〜６００ｇ／ｍ２のものを使用することが一般的である。本実施形態では、板紙として例えば３１０ｇ／ｍ２のものを使用する。このため、加工紙１０は、いわゆるソフトパッケージではなく、内部に部材を配置しなくても、形状を保つことができる。
【００３６】
錫蒸着層１３は、予めＰＥＴフィルム１４に蒸着されている。ＰＥＴフィルム１４の錫蒸着層１３形成側と反対の面には、アンカーコート剤層１５が形成されている。錫蒸着層１３が形成されたＰＥＴフィルム１４を接着層１２で板紙１１に接合することにより加工紙１０が形成される。
【００３７】
錫蒸着層１３は、ＰＥＴフィルム１４に真空蒸着法、スパッタリング法、イオンプレーティング法で形成される。錫に換えて錫合金を使用することができる。錫や錫合金の蒸着層は錫が均一な厚さでではなく、海島構造に分布しており、絶縁性を示し、電波を透過する。錫蒸着層１３の厚さ寸法は５ｎｍ〜１００ｎｍ、例えば、３０ｎｍ〜５０ｎｍとすることができる。また、絶縁については、耐静電性として、１５ｋｖの電苛をかけてスパークしないことが確認できている。厚さを増せば金属色、金属光沢が増すが、電磁波等の透過性が低下する。
【００３８】
さらに、使用する電波の終夜数等に適合した厚さや蒸着条件等について実験を行い決定する。また、錫の純度は必ずしも１００％の必要はなく、不純物があってもよい。電子レンジ、検針機、金属探知機が使用する電磁波等の性質により適宜設定する。
【００３９】
ＰＥＴフィルム１４は、例えば１２μｍの厚さを備える。ＰＥＴフィルムに換え、ＰＥ(ポリエチレン樹脂：polyethylene)、ＰＰ(ポリプロピレン樹脂：polypropylene)、ポリアミド合成樹脂（ナイロン）、ＰＣ（Polycarbonate）、等のプラスチックフィルムを使用することができる。厚さも適宜変更することができる。
【００４０】
アンカーコート剤層１５は、ＰＥＴフィルム１４とインクの密着性を高めるため塗布される。なお、ＰＥＴフィルム１４と錫蒸着層１３の位置は入れ替えることができる。
【００４１】
以上のような加工紙１０で紙器を作成するには、加工紙１０の表面、即ちＰＥＴフィルム１４側にパッケージに必要な印刷を施すと共に、作成すべきパッケージの展開図形に切り抜き、組み立てる。
【００４２】
以下実施形態に係る各種の紙器について説明する。紙器としては、商品の全周を囲う閉構造を備えるパッケージや、紙器が商品の一部を覆う、商品に付着する、又は商品に近接して配置される開構造を備える、トレイ、台紙がある。
【００４３】
これらの紙器は上述した加工紙１０で形成される。このため電子レンジ、金属探知機、及び検針機に対応できる。また、紙器は、金属色や金属光沢を呈した外装を備え、所望の構造や安定した形状を保つことができる。
【００４４】
図２（ａ）は本考案の実施形態に係る紙器である駅弁等の弁当箱２０を示している。弁当箱２０は、下箱部２１を箱状に組み立て、蓋部材２２で内部に詰めた商品である食品を覆い、食品を収納する。
【００４５】
また、図２（ｂ）は本考案の実施形態に係る紙器であるトレイタイプの弁当箱３０を示している。弁当箱３０は、下箱部３１を箱状に組み立て、蓋部材３２で内部に詰めた商品である食品を覆い食品を収納する。本実施形態に係る弁当箱２０、３０によれば、弁当を電子レンジで温めたり、内部に金属が混入していないかを金属探知機で検査したりできる。
【００４６】
図３（ａ）は本考案の実施形態に係る紙器である駅弁等の弁当箱のスリーブ４０を示している。スリーブ４０は、４つの面部４１，４２、４３、４４で６面体である弁当箱の４つの面を覆う。なお、４５は糊代を示している。本実施形態に係るスリーブ４０では、弁当箱にスリーブ４０を取付けたままで弁当を電子レンジで加熱したり、内部に金属が混入していないかを金属探知機で検査したりできる。
【００４７】
また、図３（ｂ）は本考案の実施形態に係る紙器であるカップスリーブ５０を示している。カップスリーブ５０はカップ状の食品容器の周囲を覆う。カップスリーブ５０は、円弧状の本体５１でカップの周囲を巻くように覆い、一端側に形成された舌片５２を他端側のスリット５３に挿入して固定する。本実施形態では、カップにカップスリーブ５０を巻き付けた状態で、カップ内の食品を電子レンジで温めたり、内部に金属が混入していないかを金属探知機で検査したりできる。
【００４８】
図４（ａ）は本考案の実施形態に係る紙器であるマスクの包装ケース６０を示している。包装ケース６０は、下箱部６１を箱状に組み立て、内部に水分を含んだマスクを配置し蓋部材６２で覆う。本実施形態に係る包装ケース６０にマスク配置した状態で電子レンジにより温めることができ、これによりマスクの水分が加熱され水蒸気が発生してマスクを着用することで喉や鼻腔の乾燥を防止できる。
【００４９】
また、図４（ｂ）は本考案の実施形態に係る紙器である菓子等の食品の台紙７０を示している。台紙７０は加工紙１０を略正方形状に切り出したものである。本実施形態では、この台紙７０に食品を乗せて電子レンジで加熱したり、金属探知機を使用して金属を検知したりできる。
【００５０】
図５（ａ）は本考案の実施形態に係る紙器である焼ケーキのトレイ８０を示している。本実施形態に係るトレイ８０を組み立てた状態でケーキの生地を流し、オーブンで焼いたり、電子レンジで加熱したりすることができる他、金属探知機を使用して金属を検知することができる。
【００５１】
また、図５（ｂ）は本考案の実施形態に係る紙器である小分け皿９０を示している。小分け皿９０は、底部９１の周囲に形成された隅部９２、９３、９４、９５を寄せ折り、底部の周囲に縦壁を形成できる。この状態で内部に食品を入れて周囲に食品や食品からの液体が漏れるの防止する。本実施形態に係る小分け皿９０に食品を入れた状態で、使用電子レンジを使用して配置した食品を加熱したり、金属探知機を使用して金属を検知したりすることができる。
【００５２】
図６は本考案の実施形態に係る紙器である弁当等の仕切り板１００、１１０を示している。仕切り板１００、１１０は、平板状の本体１０１、１１１に形成されたスリット１０２、１１２を組み合わせて十字とし、箱の内部を区切る。本実施形態に係る仕切り板１００、１１０で内部を区切ったとしても配置した食品を電子レンジで食品を加熱したり、金属探知機を使用して金属を検知したりすることができる。
【００５３】
図７（ａ）は本考案の実施形態に係る紙器であるケーキの台紙１２０を示している。台紙１２０の上にホールケーキを配置することができる。台紙１２０は、四角形の底板１２１の両端には持ち手１２２、１２３を備え、底板１２１の中央にはホールケーキ固定用のピンを差し込む孔部１２４が形成されている。本実施形態に係る台紙１２０によれば、底板１２１にホールケーキを配置した状態で金属探知機により金属異物を検知できる。
【００５４】
また、図７（ｂ）は本考案の実施形態に係る紙器であるデザートトレイ１３０を示している。デザートトレイ１３０は、底板１３１の四辺に形成された立ち上り部１３２、１３３、１３４、１３５を立ち上げ、のりしろ１３６、１３７、１３８、１３９で接合する。本実施形態に係るデザートトレイ１３０は、デザート等食品を配置した状態で電子レンジを使用することや金属探知機により金属異物を検知できる。
【００５５】
図８（ａ）は本考案の実施形態に係る紙器であるトイケース１４０を示している。トイケース１４０には内部におもちゃ等の商品を収納することができる。トイケース１４０の側壁１４１、１４２、１４３、１４４と底板１４５を組み立て、内部に商品を配置した状態で蓋部の舌片１４６をスリット１４７に差し入れて組み立てる。本実施形態に係るトイケース１４０は、内部におもちゃ等の商品を配置した状態で金属探知機により金属異物を検知できる。
【００５６】
また、図８（ｂ）は本考案の実施形態に係る紙器である、コットンのパッケージ１５０を示している。パッケージ１５０は、側壁１５１、１５２、１５３、１５４と、底板１５６、１５７、１５８、１５９とを備えて箱状に組み立てられる。そして組み立てられた箱状体の内部にカットしたコットンを配置し、上部を蓋部材１６０で覆う。本実施形態に係るパッケージ１５０は、内部にコットンを収納した状態で金属探知機により金属異物を検知できる。
【００５７】
図９（ａ）は本考案の実施形態に係る紙器である化粧品のパッケージ１７０を示している。を示す展開図である。パッケージ１７０は、側壁１７１、１７２、１７３、１７４と、底板１７６、１７７、１７８、１７９とで箱状に組み立てられる。そして、パッケージ１７０の内部に化粧品を配置し、上部を蓋部材１８０で覆う。本実施形態に係る紙器１７０は、内部に化粧品を収納した状態で金属探知機により金属異物を検知できる。
【００５８】
また、図９（ｂ）は本考案の実施形態に係る紙器であるバッグ等の貼り箱１９０を示している。貼り箱１９０は、底板１９１の周囲に配置された側壁１９２、１９３、１９４、１９５を立ち上げて貼り合わせ、内部にバッグ等の商品を収納できる箱状に形成する。なお、この貼り箱１９０には開口側から蓋が被せられる。本実施形態に係る貼り箱１９０は、内部にバッグ等を収納し蓋をした状態において金属探知機により金属異物を検知できる。
【００５９】
なお、上記各例はパッケージや台紙について説明したが、本実施形態に係るタグを形成するには加工紙１０を長方形、円形、その他の適宜の形状に裁断すればよい。そして、紐等の取付け用の孔部等を適宜形成する。実施形態に係るタグによれば、商品にタグを取付けた状態で検針機や金属探知機を使用しても、タグ自体が針や金属等として検出されることがないので、タグを取付けた商品の検針や金属探知を行うことができる。
【００６０】
次に本実施形態に係る紙器の電子レンジによる試験について説明する。図１０は本考案に係る紙器の電子レンジによる試験を示すものであり、（ａ）は実施形態に係る紙器による試験を示す写真、（ｂ）は比較例に係る紙器による試験を示す写真である。なお本試験は２０１７年７月７日にビーエフ＆パッケージ株式会社内で行った。
【００６１】
本試験では、実施形態に係る紙器２００として錫を蒸着したものを使用し、比較例の紙器２１０としてアルミニウムを蒸着したものを使用した。また、電子レンジ２２０は５００Ｗのものを使用した。紙器２００、２１０内部には商品に相当するものとして水で湿らせたティッシュペーパー２０１を配置した。
【００６２】
図１０（ａ）に示すように、実施形態に係る紙器２００では電子レンジで６０秒通電したところ、ティッシュペーパー２０１が暖まったことを手指で確認できた。これに対して、図１０（ｂ）に示すように、比較例に係る紙器２１０では電子レンジ２２０を通電したところ通電開始直後に紙器２１０がスパークしてそれ以上の通電は停止した。以上のように本実施形態に係る紙器は電子レンジに対応することが判る。
【００６３】
次に実施形態に係る紙器の金属探知機による試験について説明する。図１１は本考案に係る紙器の金属探知機による試験を示すものであり、（ａ）は実施形態に係る紙器による試験を示す写真、（ｂ）は比較例に係る紙器による試験を示す写真である。なお、本試験は２０１７年７月７日、ビーエフ＆パッケージ株式会社内で行った。
【００６４】
本試験では、実施形態に係る紙器２００として錫を蒸着したものを使用し、比較例の紙器２１０としてアルミニウムを蒸着したものを使用した。金属探知機２３０は、金属を探知すると被検査物の搬送用のベルト２３１が停止する。
【００６５】
図１１（ａ）に示すように、実施形態に係る紙器２００では金属探知機２３０で金属を検出しなかったためベルト２３１が停止しなかった。これに対して、図１１（ｂ）に示すように、比較例に係る紙器２１０では金属探知機２３０で紙器２１０自体を金属として検知してベルト２３１が停止した。
【００６６】
これにより本実施形態に係る紙器は金属探知機に対応することが判る。なお、検針機は金属探知機と同様の原理で動作するものであり、本実施形態に係る紙器を使用して検針を行うことができる。また、タグについても同じ加工紙で構成されるから、同様に金属探知及び検針ができることがわかる。
【産業上の利用可能性】
【００６７】
本考案に係る紙器は、物品を格納しない状態で自ら形状を保ち、さらに金属色、金属光沢を備えて高い外観品質を有する他、電子レンジ、金属探知機、及び検針機の使用が可能であり、産業上の利用可能性を有する。
【符号の説明】
【００６８】
１０：加工紙
１１：板紙
１２：接着層
１３：錫蒸着層
１４：ＰＥＴフィルム
１５：アンカーコート剤層
２０：弁当箱（紙器）
２１：下箱部
２２：蓋部材
３０：弁当箱（紙器）
３１：下箱部
３２：蓋部材
４０：スリーブ（紙器）
４１、４２、４３、４４：面部
５０：カップスリーブ（紙器）
５１：本体
５２：舌片
５３：スリット
６０：包装ケース（紙器）
６１：下箱部
６２：蓋部材
７０：台紙（紙器）
８０：トレイ（紙器）
９０：小分け皿（紙器）
９１：底部
９２、９３、９４、９５：隅部
１００：仕切り板（紙器）
１０１：本体
１０２：スリット
１１０：仕切り板（紙器）
１１１：本体
１１２：スリット
１２０：台紙（紙器）
１２１：底板
１２２、１２３：持ち手
１２４：孔部
１３０：デザートトレイ（紙器）
１３１：底板
１３２、１３３、１３４，１３５：立ち上り部
１４０：トイケース（紙器）
１４１、１４２、１４３、１４４：側壁
１４５：底板
１４６：舌片
１４７：スリット
１５０：パッケージ（紙器）
１５１、１５２、１５３、１５４：側壁
１５６、１５７、１５８、１５９：底板
１６０：蓋部材
１７０：パッケージ（紙器）
１７１、１７２、１７３、１７４：側壁
１７６、１７７、１７８、１７９：底板
１８０：蓋部材
１９０：貼り箱（紙器）
１９１、１９２、１９３、１９４、１９５：側壁
２００：紙器
２０１：ティッシュペーパー
２１０：紙器
２２０：電子レンジ
２３０：金属探知機
２３１：ベルト
【図１】
0003212990.tif 000003
【図２】
0003212990.tif 000004
【図３】
0003212990.tif 000005
【図４】
0003212990.tif 000006
【図５】
0003212990.tif 000007
【図６】
0003212990.tif 000008
【図７】
0003212990.tif 000009
【図８】
0003212990.tif 000010
【図９】
0003212990.tif 000011
【図１０】
0003212990.tif 000012
【図１１】
0003212990.tif 000013